(57)【要約】      （修正有）【課題】便利で衛生的に服薬操作を完成させられる携帯式服薬ボックスを提供する。【解決手段】携帯式服薬ボックス１００は収容設置ボックス体１を有し、凹状ボックス部１１及び延伸導槽１２を有する。延伸導槽１２は凹状ボックス部１１の前端から外へと延伸して連通設置し、且つ、延伸導槽１２の底部は凹状ボックス部１１位置から外へさらに上へと延伸し、槽縁が徐々に縮小する斜め形状の出薬スライド槽１２１を形成する。出薬スライド槽１２１及びボックス蓋２の横断面形状と収容設置ボックス体１上端の横断面形状とは相同で、収容設置ボックス体１の上方において開閉可能状に収容設置ボックス体１の上端に蓋をする。ボックス蓋２の下表面の、収容設置ボックス体１上端に相対する内側縁には環周壁２１を形成する。ボックス蓋２が収容設置ボックス体１に蓋をすると、環周壁２１は収容設置ボックス体１上端の内側縁に嵌めて設置される。【選択図】図１
0003199909.tif 000002
【実用新案登録請求の範囲】
【請求項１】
携帯式服薬ボックスであって、凹状ボックス部により構成する収容設置ボックス体に、横断面形状が、前記収容設置ボックス体上端の横断面形状と相同で、前記収容設置ボックス体の上方に位置し、開閉可能なように前記収容設置ボックス体の上端に蓋をするボックス蓋を結合させてなり、
前記収容設置ボックス体の前端には、延伸導槽を有し、前記凹状ボックス部の前端から外へと延伸し徐々に縮小して漸縮状槽縁を連通設置し、
前記漸縮状槽縁の延伸長さは、少なくとも服薬時に服薬者の唇縁を越えられる長さで、漸縮状槽縁と延伸導槽と収容設置ボックス体の底面との挟角は、１２０度を超える鈍角傾斜角度の傾斜した出薬スライド槽を形成することを特徴とする携帯式服薬ボックス。
【請求項２】
前記ボックス蓋の下表面は、前記収容設置ボックス体上端の内側縁に対応し、環周壁を形成し、
前記ボックス蓋を前記収容設置ボックス体に蓋をすると、前記環周壁は前記収容設置ボックス体上端の内側縁に差し込まれることを特徴とする請求項１に記載の携帯式服薬ボックス。
【請求項３】
前記凹状ボックス部の延伸導槽から離れた外側面上部において、ピボットを外へと延伸し、
前記ボックス蓋の一端には、環状フックを有し、前記環状フックは、前記収容設置ボックス体のピボットの周囲にＵ字形状に連接し、
前記ボックス蓋は、前記収容設置ボックス体に開閉するように蓋をすることを特徴とする請求項１に記載の携帯式服薬ボックス。
【請求項４】
前記携帯式服薬ボックスの前記収容設置ボックス体から離れた前記延伸導槽の一端及び前記ボックス蓋と前記収容設置ボックス体と連接する一端は、一体成型されることを特徴とする請求項１に記載の携帯式服薬ボックス。
【請求項５】
前記携帯式服薬ボックスの数量は、複数個で、且つ、前記各携帯式服薬ボックスは、その両側が相互に連接し、同じ方向に並列することを特徴とする請求項１〜３のいずれか一項に記載の携帯式服薬ボックス。
【請求項６】
前記携帯式服薬ボックスの数量は、複数個で、且つ、前記各携帯式服薬ボックスは、第一グループ及び第二グループに分かれ、
前記第一グループ及び前記第二グループは、前記各携帯式服薬ボックスの両側が相互に連接し、同方向に並列し、前記第一グループの前記各携帯式服薬ボックスは、さらに前記収容設置ボックス体と前記ボックス蓋とが連接する一端と、前記第二グループの前記各携帯式服薬ボックスの前記収容設置ボックス体と前記ボックス蓋とが連接する一端が、相互に連接することを特徴とする請求項１〜３いずれか一項に記載の携帯式服薬ボックス。
【請求項７】
前記携帯式服薬ボックスの数量は、複数個で、且つ、前記各携帯式服薬ボックスは、その両側が相互に連接し放射状を呈して配列することを特徴とする請求項１〜３のいずれかに記載の携帯式服薬ボックス。
【請求項８】
前記ボックス蓋の延伸導槽に近い一端は、外へと舌片を延伸することを特徴とする請求項１〜３のいずれか一項に記載の携帯式服薬ボックス。
【請求項９】
前記ボックス蓋は、軟性材質により製造されることを特徴とする請求項１〜３のいずれか一項に記載の携帯式服薬ボックス。
【考案の詳細な説明】
【技術分野】
【０００１】
本考案はボックス内の粒状薬を片手で服薬者口内に入れられる便利な用具に関し、特に携帯式服薬ボックスに関する。
【背景技術】
【０００２】
市場では、薬を収納可能な多種様式の薬ボックスが販売されている。
【０００３】
従来の薬ボックスは、粒状薬を区分するため、内部には隔絶板を設置し数個の収容設置空間を形成する。
【０００４】
これにより、粒状薬は分類され、或いは分量、日時、時間に応じて区分され収容される。
【０００５】
しかしながら、薬を飲ませる際には、服薬者は、その内の粒状薬を手上に出した後、粒状薬を口中に入れなければならず不便で、且つ、粒状薬は容易に汚染を受けてしまう。
【考案の概要】
【考案が解決しようとする課題】
【０００６】
前記先行技術の説明で分かるとおり、薬を飲ませる際には、服薬者は、その内の粒状薬を手上に出した後、粒状薬を口中に入れなければならず不便で、且つ、粒状薬は容易に汚染を受けてしまうという欠点がある。
【課題を解決するための手段】
【０００７】
本考案は湿気を防げる携帯式服薬ボックスに関する。
【０００８】
本考案による携帯式服薬ボックスは湿気を防げる携帯式服薬ボックスで、ボックス蓋と収容設置ボックス体の開閉可能結合を利用し、内部粒状薬を開けて便利に使用でき、且つ、延伸導槽前端槽縁が徐々に縮小する斜め形状の出薬スライド槽を形成し、出薬スライド槽により薬を飲ませる際には、出薬スライド槽位置から、服薬者の唇縁を超え内側へと伸び入り、収容設置ボックス体の後端を持ち上げ、収容設置ボックス体を傾斜させ、収容設置ボックス体内の粒状薬（錠剤等）を服薬者口内へと滑り入らせ、服薬操作を便利に完成することができる。
【０００９】
複数の携帯式服薬ボックスは、一列に同方向に並列、二列に反対方向に並列、及び放射状に配列等とすることで、消費者に多様な選択肢を提供し、購入意欲を高めることができる。
【００１０】
本考案による携帯式服薬ボックスは、収容設置ボックス体を有し、凹状ボックス部及び延伸導槽を有する。
【００１１】
該延伸導槽は、該凹状ボックス部の前端から外へと延伸して連通設置し、且つ、該延伸導槽の底部の、該凹状ボックス部に近い位置は外へ上へと延伸し、槽縁が徐々に縮小する斜め形状の出薬スライド槽を形成する。
【００１２】
ボックス蓋の横断面形状は、該収容設置ボックス体上端の横断面形状と相同い、該収容設置ボックス体の上方において開閉可能なように該収容設置ボックス体の上端に蓋をする。
【００１３】
該ボックス蓋の下表面は、該収容設置ボックス体上端の内側縁に対応し、環周壁を形成する。
【００１４】
該ボックス蓋を該収容設置ボックス体に蓋をすると、該環周壁は、該収容設置ボックス体上端の内側縁に差し込まれる。
【００１５】
本考案一実施形態において、該凹状ボックス部の延伸導槽から離れた外側面上部において、ピボットを外へと延伸する。
【００１６】
該ボックス蓋の一端には、環状フックを有する。
【００１７】
該環状フックが該収容設置ボックス体のピボットに対して、環状に包囲するように連接する。
【００１８】
こうして、該ボックス蓋は、該収容設置ボックス体に開閉するように蓋をする。
【００１９】
本考案一実施形態において、該収容設置ボックス体の該延伸導槽から離れた一端及び該ボックス蓋と該収容設置ボックス体と連接する一端は、一体成型される。
【００２０】
本考案一実施形態において、携帯式服薬ボックスの数量は、複数個で、且つ、該各携帯式服薬ボックスは、その両側が相互に連接し、同じ方向に並列する。
【００２１】
該出薬スライド槽の漸縮状槽縁は、二つが連接する服薬ボックス出薬端口の間隔距離を拡大し、便利に服薬者口中に入れられ、粒状薬を直接入れる簡単な操作を達成できる。
【００２２】
本考案一実施形態において、携帯式服薬ボックスの数量は、複数個で、且つ、該各携帯式服薬ボックスは、第一グループ及び第二グループに分かれる。
【００２３】
該第一グループ及び該第二グループは、該各携帯式服薬ボックスの両側が相互に連接し、同方向に並列し、該第一グループの該各携帯式服薬ボックスは、さらに該収容設置ボックス体と該ボックス蓋とが連接する一端と、該第二グループの該各携帯式服薬ボックスの該収容設置ボックス体と該ボックス蓋とが連接する一端が、相互に連接する。
【００２４】
本考案一実施形態において、該ボックス蓋の延伸導槽に近い一端は、外へと舌片を延伸する。
【００２５】
本考案一実施形態において、該ボックス蓋は、軟性材質で製造される。
【００２６】
本考案の実施形態を応用する特徴の一つは、ボックス内の粒状薬を片手で服薬者口内に入れることができる。
【図面の簡単な説明】
【００２７】
【図１】本考案第一実施形態のオープン状態時の模式図である。
【図２】本考案第一実施形態のクローズ状態時の模式図である。
【図３】図２の断面模式図である。
【図４】本考案第二実施形態のオープン状態時の模式図である。
【図５】本考案第二実施形態のクローズ状態時の模式図である。
【図６】本考案第三実施形態の模式図である。
【図７】本考案第四実施形態の模式図である。
【図８】本考案第五実施形態の模式図である。
【図９】本考案第一実施形態において薬を飲ませる前の模式図である。
【図１０】本考案該第一実施形態において服薬時の模式図である。
【考案を実施するための形態】
【００２８】
（一実施形態）
図１〜図１０に示すとおり、本考案第一実施形態（図１〜図３参照）による携帯式服薬ボックス１００は、凹状ボックスである収容設置ボックス体１及びボックス蓋２を有し、ボックス蓋２は軟性材質により製造する。
【００２９】
収容設置ボックス体１は、凹状ボックス部１１及び延伸導槽１２を有する。
【００３０】
延伸導槽１２は、凹状ボックス部１１の前端から、外へと延伸して連通設置し、且つ、延伸導槽１２の底部は、凹状ボックス部１１の位置から外へさらに上へと延伸し、槽縁が徐々に縮小する斜め形状の出薬スライド槽１２１を形成する。
【００３１】
これにより、延伸導槽１２の横断面は、錐形或いは円錐形（本考案は錐形を例として説明する）を呈し、上向きに傾斜し徐々に縮小する構造を呈する。
【００３２】
こうして、薬を飲ませる際には、図９及び図１０に示すとおり、出薬スライド槽１２１の位置から、服薬者４０の唇縁４０１を超え内側へと伸び入り、収容設置ボックス体１の後端を持ち上げ、収容設置ボックス体１を傾斜させ、収容設置ボックス体１内の粒状薬（錠剤等）を服薬者４０の口内へと滑り入らせ、服薬操作を便利に完成することができる。
【００３３】
図１〜図５に示すとおり、ボックス蓋２の横断面形状は、収容設置ボックス体１の上端の横断面形状と相同で、収容設置ボックス体１の上方において、その後辺が薄肉状のヒンジ部４を介して、凹状ボックス部１１の後辺と連結し、開閉可能に、収容設置ボックス体１の上端に蓋をする。
【００３４】
ボックス蓋２の下表面の、収容設置ボックス体１の上端に相対する内側縁には、環周壁２１を形成する。
【００３５】
ボックス蓋２が収容設置ボックス体１に蓋をすると、環周壁２１は、収容設置ボックス体１上端の内側縁に嵌めて設置される。
【００３６】
本実施形態において、収容設置ボックス体１の延伸導槽１２から離れた一端及びボックス蓋２の収容設置ボックス体１と連接する一端は、一体成型される。
【００３７】
ボックス蓋２が閉じたときに、延伸導槽１２の先端に近い、ボックス蓋２の一端において、図３に示すとおり、舌片２２が外方向へと延伸する。
【００３８】
こうして、使用者或いは病患は、ボックス蓋２を、収容設置ボックス体１から押して便利に離すことができる。
【００３９】
第二実施形態（図４及び図５参照）では、収容設置ボックス体１は凹状ボックス部１１の延伸導槽１２から離れた外側面上部において、ピボット１３を外へと延伸する。
【００４０】
ボックス蓋２の一端には、環状フック２３を有する。
【００４１】
環状フック２３は、収容設置ボックス体１のピボット１３にＵ字形状に連接する。ピボット１３はここではピン形状である。
【００４２】
こうして、ボックス蓋２は、収容設置ボックス体１に開閉するように蓋をする。
【００４３】
本考案第三実施形態の携帯式服薬ボックス１００（図６参照）の数量は、複数個で、且つ、各携帯式服薬ボックス１００は、その両側が相互に連接し、同じ方向に並列する。
【００４４】
第一実施形態の基礎構造において、第四実施形態の携帯式服薬ボックス１００の数量は、複数個（図７参照）で、且つ、第一グループ２００及び第二グループ３００に分かれる。
【００４５】
第一グループ２００及び第二グループ３００は、各携帯式服薬ボックス１００の両側（背面側）が相互に連接し、同方向に並列し、第一グループ２００の各携帯式服薬ボックス１００は、さらに、収容設置ボックス体１とボックス蓋２が連接する一端と第二グループ３００の各携帯式服薬ボックス１００の収容設置ボックス体１とボックス蓋２が連接する一端が、相互に連接する。第一グループ２００及び第二グループ３００の舌片２２は反対方向（１８０度）に延び出す。
【００４６】
また、第一実施形態の基礎構造において、第五実施形態の携帯式服薬ボックス１００の数量は、複数個（図８参照）で、且つ、各携帯式服薬ボックス１００は、その両側が相互に連接し、収容設置ボックス体１が放射状を呈して配列する。
【００４７】
上述の実施形態構造において、ボックス蓋２と収容設置ボックス体１との開閉可能結合を利用し、開けて、内部の粒状薬（錠剤）を便利に使用でき、且つ、延伸導槽１２の傾斜設計を利用し、薬を飲ませる際には、出薬スライド槽１２１を服薬者の唇縁内に入れ、収容設置ボックス体１の後端を持ち上げ、収容設置ボックス体１を傾斜させ、収容設置ボックス体内の粒状薬（錠剤等）を服薬者の口内に直接滑り入らせ、服薬操作を便利に完成することができる。
【００４８】
また、複数の携帯式服薬ボックス１００は、一列に同方向に並列、二列に反対方向に並列、及び放射状に配列する等とすることで、消費者に多様な選択肢を提供し、購入意欲を高めることができる。
【００４９】
上記構造の携帯式服薬ボックスにおいて、延伸導槽１２と収容設置ボックス体１底面との挟角は、図３にしめすとおり、１２０度を超える鈍角傾斜角度を適用する。
【００５０】
こうして、収容設置ボックス体１を傾けると、ボックス内粒状薬（錠剤等）より、便利に迅速に滑り出て、服薬者４０の口内に入り、服薬操作を便利に完成することができる（図３参照）。
【００５１】
前述した本考案の実施形態は本考案を限定するものではなく、よって、本考案により保護される範囲は後述される実用新案登録請求の範囲を基準とする。
【符号の説明】
【００５２】
１…収容設置ボックス体
２…ボックス蓋
１１…凹状ボックス部
１２…延伸導槽
１３…ピボット
２１…環周壁
２２…舌片
２３…環状フック
４０…服薬者
１００…携帯式服薬ボックス
１２１…出薬スライド槽
２００…第一グループ
３００…第二グループ
４０１…唇縁
【図１】
0003199909.tif 000003
【図２】
0003199909.tif 000004
【図３】
0003199909.tif 000005
【図４】
0003199909.tif 000006
【図５】
0003199909.tif 000007
【図６】
0003199909.tif 000008
【図７】
0003199909.tif 000009
【図８】
0003199909.tif 000010
【図９】
0003199909.tif 000011
【図１０】
0003199909.tif 000012